(57)【要約】【課題】  メガネフレームのフロント部に対して、ノーズパッドの位置決めが容易であるノーズパッド取付け方法及びメガネフレームを提供する。【解決手段】  メガネフレーム１１のブリッジ１４の裏面側に設けられた支持穴１５近傍、または、ノーズパッド１０が取り付けられる固定金具２に設けられ、支持穴１５内に挿入固定される支持片３近傍のうち、少なくとも一方を加熱した状態で、ブリッジ１４の支持穴１５内に支持片３を挿入して押し込んで融解し、ブリッジ１４の当接部を固定金具２の当接部の形状に変形させ、固定手段にて固定することで、メガネフレーム１１のフロント部１２に対して、ノーズパッド１０の位置決めをすることが容易になる。【選択図】  図１
2006184480.tif 000002
【特許請求の範囲】
【請求項１】
メガネフレームのフロント部に、固定金具に取り付けられたノーズパッドを取り付ける方法であって、フロント部のブリッジの裏面側に設けられた支持穴近傍、または、ノーズパッドが取り付けられる固定金具に設けられ、支持穴内に挿入固定される支持片近傍のうち、少なくとも一方を加熱した状態で、ブリッジの支持穴内に支持片を挿入して押し込んで融解し、ブリッジの当接部を固定金具の当接部の形状に変形させて位置決めし、この後、固定手段にてブリッジに固定金具を取り付けることを特徴とするノーズパッド取付け方法。
【請求項２】
前記固定手段は、ブリッジの下面側に設けたねじ挿通用の孔と、このねじ挿通用の孔を挿通したのちに、支持片に設けたねじ孔に螺合して固定するねじとからなることを特徴とする請求項１に記載のノーズパッド取付け方法。
【請求項３】
請求項１または請求項２に記載のノーズパッド取付け方法を用いることを特徴とするメガネフレーム。
【発明の詳細な説明】
【技術分野】
【０００１】
本発明は、フロント部にノーズパッドを取り付けるための方法及びそのノーズパッド取付け方法を用いたメガネフレームに関する。
【背景技術】
【０００２】
メガネフレームには様々なタイプのものがあるが、例えば、一対の環状のリムと、両リムを連結するブリッジと、各リムの両側部に丁番を介して連結されるテンプルとを具えたメガネフレームが知られている。
【０００３】
このようなメガネフレームは、ブリッジの根元部に一対のノーズパッドが設けられ、メガネフレームを顔に装着したときに、この一対のノーズパッドを鼻の側面に当接させることにより、メガネフレームを顔の所定の位置に保持することができるものである（例えば、特許文献１参照。）。
【特許文献１】特開２００４−５３８７７号公報
【発明の開示】
【発明が解決しようとする課題】
【０００４】
上記のような構成のメガネフレームにおいては、ノーズパッドはメガネフレームのブリッジの根元部に接着剤等によって接合されるため、ブリッジに取り付けるノーズパッドの位置決めが容易にできなかった。
【０００５】
本発明は、上記のような従来の問題を解決したものであって、メガネフレームのブリッジに対して、ノーズパッドの位置決めをすることが容易であるノーズパッド取付け方法及び、そのノーズパッド取付け方法を用いたメガネフレームを提供することを目的としている。
【課題を解決するための手段】
【０００６】
上記のような問題を解決するために、本発明の請求項１に係るノーズパッド取付け方法は、メガネフレームのフロント部に、固定金具に取り付けられたノーズパッドを取り付ける方法であって、フロント部のブリッジの裏面側に設けられた支持穴近傍、または、ノーズパッドが取り付けられる固定金具に設けられ、支持穴内に挿入固定される支持片近傍のうち、少なくとも一方を加熱した状態で、ブリッジの支持穴内に支持片を挿入した状態で押し込んで融解し、ブリッジの当接部を固定金具の当接部の形状に変形させて位置決めし、この後、固定手段にてブリッジに固定金具を取り付ける手段を採用している。
【０００７】
また、本発明の請求項２に係るノーズパッド取付け方法は、請求項１に記載のノーズパッド取付け方法であって、前記固定手段は、ブリッジの下面側に設けたねじ挿通用の孔と、このねじ挿通用の孔を挿通したのちに、支持片に設けたねじ孔に螺合して固定するねじとからなる手段を採用している。
【０００８】
さらに、本発明の請求項３に係るメガネフレームは、請求項１または請求項２に記載のノーズパッド取付け方法を用いる手段を採用している。
【発明の効果】
【０００９】
本発明は、フロント部のブリッジの裏面側に設けられた支持穴近傍、または、ノーズパッドが取り付けられる固定金具に設けられ、支持穴内に挿入固定される支持片近傍のうち、少なくとも一方を加熱した状態で、ブリッジの支持穴内に支持片を挿入した状態で押し込んで融解し、ブリッジの当接部を固定金具の当接部の形状に変形させて位置決めし、この後、固定手段にてブリッジに固定金具を取り付けることで、メガネフレームのブリッジに対して、ノーズパッドの位置を決めることが容易になる。
【発明を実施するための最良の形態】
【００１０】
以下、図面に示す本発明の実施の形態について説明する。
図１〜図４には、本発明によるノーズパッド取付け部の構造及びメガネフレームの実施の形態が示されていて、図１はノーズパッド取付け部の構造を示す斜視図、図２はブリッジを融解させて取り付ける以前のノーズパッド取付け部の分解斜視図、図３はメガネフレームの全体を示す斜視図、図４はテンプル取付け部の構造を示す斜視図である。
【００１１】
メガネフレーム１１は、図３に示すように、一対の環状のリム１３、１３と、両リム１３、１３を一体に連結する棒状のブリッジ１４とで構成される樹脂製のフロント部１２と、フロント部１２の各リム１３の両側部に取り付けられるテンプル２６とを具えている。
【００１２】
各リム１３の内側にはレンズを保持するための溝（図示せず）が設けられ、この溝内に視力矯正用等のレンズ（図示せず）を嵌合させることにより、各リム１３の内側にそれぞれレンズが保持される。
【００１３】
フロント部１２のブリッジ１４の裏面側には、図１及び図２に示すように、支持穴１５が設けられ、その支持穴１５に一部が挿入される固定金具２と、固定金具２に取り付けられる一対のパッド足６、６とで構成されたノーズパッド取付け部１が取り付けられ、ノーズパッド取付け部１のパッド足６、６にそれぞれノーズパッド１０が取り付けられる。
【００１４】
支持穴１５は、ブリッジ１４の裏面側の中央部に水平に設けられ、円弧状に形成されている。なお、この実施の形態では円弧状であるが、支持穴１５の形状は特に限定するものではない。
【００１５】
固定金具２は、図２に示すように、円弧板状に形成され、中央部にねじ孔４が設けられる支持片３と、支持片３の弦側に一体に設けられる略ハ形板状のパッド足取付け片５とで構成されている。支持片３とパッド足取付け片５との境界部は略直角に折り曲げられ、支持片３がブリッジ１４の支持穴１５内に挿入される。なお、支持片３は、円弧板状に限定せず、支持穴１５に挿入可能な形状であればよい。
【００１６】
ブリッジ１４の支持穴１５の近傍、または、固定金具２の支持片３の近傍のうちの少なくとも一方を加熱した状態で、支持穴１５内に固定金具２の支持片３を挿入し、押し込むことで、ブリッジ１４の裏面側が融解して変形し、固定金具２の位置決めがされる。
【００１７】
なお、固定金具２の全体を加熱して、支持穴１５内に固定金具２の支持片３を挿入し、押し込んだ場合には、ブリッジ１４の裏面側が融解して変形し、固定金具２の形状の凹部がブリッジ１４の裏面側に形成され、ブリッジ１４の裏面側に固定金具２が半埋没した状態になる。
【００１８】
この場合、固定金具２がブリッジ１４の裏面側に半埋没したことにより、ブリッジ１４の裏面側の樹脂が固定金具２に押し出されて、はみ出し部分が形成される場合がある。このはみ出し部分は、そのままであると見栄えを損なってしまうので、固定手段であるねじ１７にて完全に固定してしまう前に、何らかの切削手段にて除去しておくことが好ましい。
【００１９】
ブリッジ１４の下面側には、支持穴１５に支持片３を固定するための、ねじ挿通用の孔１６が設けられている。このねじ挿通用の孔１６内に、固定手段であるねじ１７を挿通させたのち、支持片３に設けたねじ孔４に螺合することで、固定金具２がブリッジ１４に固定される。
【００２０】
なお、支持穴１５内に固定金具２の支持片３を固定できるものであれば特にねじ１７に限定せず、リベット、ねじ・ナット、接着剤等の固定手段を用いてもよい。
【００２１】
パッド足取付け片５の先端部には、一対のパッド足６、６が一体に取り付けられている。各パッド足６は、変形可能な金属からなる棒状をなすものであって、一端部がパッド足取付け片５の先端部に溶接等によって一体に接合される。なお、一対のパッド足６、６を使用せずに、１本のパッド足を略Ｕ形状に屈曲させて、その屈曲させたパッド足６の中央部を溶接等によって固定金具に一体に接合するような形態であってもよい。
【００２２】
各パッド足６の他端部には、金属製の箱状のパッド箱７が溶接等により一体に接合され、このパッド箱７にノーズパッド１０がパッド芯８を介してねじ９により取り付けられる。
【００２３】
リム１３の両側部の裏面側には、図４に示すように、一対のテンプル２６、２６を取り付けるための部材であるテンプル取付け部１８が設けられている。テンプル取付け部１８は、リム１３に固定するための、固定金具１９と、固定金具１９に取り付けられるばね部材２０とを具え、ばね部材２０に丁番２１を介してテンプル２６の一端部が連結される。
【００２４】
固定金具１９には、ばね部材２０の一端部が嵌るような溝が設けられ、略コ形状に形成された本体部２７と、本体部２７の溝面の裏面側から突出し、中央部分に穴が設けられ、端部に広がりを有した形状の支持部２８とで構成されている。
【００２５】
ばね部材２０は、略Ｓ形状に形成した金属製であって、一端部が固定金具１９の本体部２７の溝内に溶接等により一体に接合される。なお、ばね部材２０はＳ形状に限定することなく、テンプル２６を畳み込む方向に付勢できる形状であればよい。
【００２６】
ばね部材２０の他端部には、固定部２２が形成され、この固定部２２にねじ２５を介して、回動自在にテンプル２６の可動部２３が取り付けられ、これらにより、丁番２１が形成される。
【００２７】
テンプル取付け部１８は、一端部の固定金具１９によりリム１３の両側部の裏面側に固定され、他端部の丁番２１によりテンプル２６が取り付けられる。このことにより、リム１３の両側部の裏面側にテンプル２６が取り付けられる。
【００２８】
上記のような、ノーズパッド取付け方法にあっては、フロント部１２のブリッジ１４の裏面側に設けられた支持穴１５近傍、または、固定金具２に設けられ、支持穴１５内に挿入固定される支持片３近傍のうち、少なくとも一方を加熱した状態で、ブリッジ１４の支持穴１５内に支持片３を挿入して押し込んで融解し、ブリッジ１４の当接部を固定金具２の当接部の形状に変形させ、固定手段にてブリッジ１４に固定金具２を取り付けることで、ブリッジ１４に対して、ノーズパッド１０の位置決めが容易になる。
【図面の簡単な説明】
【００２９】
【図１】ノーズパッド取付け部を示した斜視図である。
【図２】ブリッジ近傍を融解させる以前のノーズパッド取付け部の分解斜視図である。
【図３】メガネフレームを示した斜視図である。
【図４】テンプル取付け部を示した斜視図である。
【符号の説明】
【００３０】
１  ノーズパッド取付け部
２、１９  固定金具
３  支持片
４  ねじ孔
５  パッド足取付け片
６  パッド足
７  パッド箱
８  パッド芯
９、１７、２５  ねじ
１０  ノーズパッド
１１  メガネフレーム
１２  フロント部
１３  リム
１４  ブリッジ
１５  支持穴
１６  ねじ挿通用の孔
１８  テンプル取付け部
２０  ばね部材
２１  丁番
２２  固定部
２３  可動部
２４  芯材
２６  テンプル
２７  本体部
２８  支持部
【図１】
2006184480.tif 000003
【図２】
2006184480.tif 000004
【図３】
2006184480.tif 000005
【図４】
2006184480.tif 000006